(57)【特許請求の範囲】
【請求項１】
ベース上に上下方向に移動するポンチを設け、そのポンチによってベース上に載置したワーク本体の取付孔に嵌め込んだ結合部材の端面部付近を複数箇所かしめてワーク本体と結合部材とを一体化するようにしたかしめ装置において、ベースには、ワーク本体を保持し、前記結合部材の軸線を中心に旋回するように構成した旋回部と、その旋回部を跨ぐように門型に形成された支持部が夫々設置され、その支持部に設けたガイド部材には前記結合部材の軸線に対して平行な軸線に沿って上下方向に移動するようにポンチを取り付けた軸部材が挿入され、その軸部材の上端側に取り付けた第２板部材とガイド部材との間にバネ部材と調整部材とを介在させ、前記旋回部によって結合部材の軸線を中心にワーク本体と共に結合部材を旋回させ、所定角度旋回させた結合部材の端面部を前記ポンチによってかしめる時に、ハンマーによりバネ部材に当接させた状態の第２板部材をバネ部材のバネ力に抗して下方へ移動させ、その第２板部材が調整部材に当接することでポンチが移動する距離が規制されていることを特徴とするかしめ装置。
【発明の詳細な説明】
【技術分野】
【０００１】
本発明は、ベース上に上下方向に移動するポンチを設け、そのポンチによってベース上に載置したワーク本体の取付孔に嵌め込んだ結合部材の端面部付近を複数箇所かしめてワーク本体と結合部材とを一体化するようにしたものであって、特に、小径の結合部材の端面部付近を複数箇所かしめるようにしたかしめ装置に関する。
【背景技術】
【０００２】
従来、ベース上に上下方向に移動するポンチを設け、そのポンチによってベース上に載置したワーク本体の取付孔に嵌め込んだ結合部材の端面部付近を複数箇所かしめてワーク本体と結合部材とを一体化するようにしたかしめ装置が知られている。
特許文献１に記載のかしめ装置は、基台には、一対のポンチが上下方向へスライド移動可能に支持されたガイドアーチと、前記一対のポンチの頭部に当接させる付勢ヘッドを備えたアームを揺動可能に支持する支持台が夫々設けられ、前記一対のポンチの先端はネジ部材（ワーク本体）の雌ネジ部材（結合部材）の端面近傍に配置されている。よって、アームを揺動させることで付勢ヘッドを介して一対のポンチに付勢力を与え、付勢される一対のポンチによって雌ネジ部材のネジ山の複数箇所（２箇所）を一度に変形させるようになっている。また、特許文献２には、複数のかしめ部を底面に設けたかしめ工具を用いて、セットスクリュー（結合部材）のねじ部の複数箇所を同時にかしめるようにしたことが記載されている。
【先行技術文献】
【特許文献】
【０００３】
【特許文献１】特開２０１０−８２６７５号公報
【特許文献２】特許第４１５２７９１号公報
【発明の概要】
【発明が解決しようとする課題】
【０００４】
上記のかしめ装置では、小径の雌ネジ部材のネジ山の２箇所を一度にかしめるためには、一対のポンチの先端側が互いに近づくように配置しなければならず、一対のポンチの頭部に当接する付勢ヘッドの付勢面が正確な円弧状に形成されていないと、前記力を一対のポンチに均一に与えることができない。従って、かしめ箇所でかしめ量が異なるおそれがあった。そこで、複数箇所かしめるには、特許文献２のような、複数のかしめ部を設けた工具を用いることが考えられるが、小径の結合部材の端面部付近をかしめるような工具を設けることが難しい。また、次のネジ部材を設置する毎に、アームをネジ部材から遠ざかる方向へ揺動させ、その状態を手によって維持しなければネジ部材を交換することができず、複数のネジ部材へのかしめ作業を繰り返すことが煩わしかった。そこで本発明の課題は、上記問題点に鑑み、確実に小径の結合部材の端面部付近を複数箇所かしめることが可能なかしめ装置を提供することを目的とする。
【課題を解決するための手段】
【０００５】
本発明は、ベース上に上下方向に移動するポンチを設け、そのポンチによってベース上に載置したワーク本体の取付孔に嵌め込んだ結合部材の端面部付近を複数箇所かしめてワーク本体と結合部材とを一体化するようにしたかしめ装置において、ベースには、ワーク本体を保持し、前記結合部材の軸線を中心に旋回するように構成した旋回部と、その旋回部を跨ぐように門型に形成された支持部が夫々設置され、その支持部に設けたガイド部材には前記結合部材の軸線に対して平行な軸線に沿って上下方向に移動するようにポンチを取り付けた軸部材が挿入され、その軸部材の上端側に取り付けた第２板部材とガイド部材との間にバネ部材と調整部材とを介在させ、前記旋回部によって結合部材の軸線を中心にワーク本体と共に結合部材を旋回させ、所定角度旋回させた結合部材の端面部を前記ポンチによってかしめる時に、ハンマーによりバネ部材に当接させた状態の第２板部材をバネ部材のバネ力に抗して下方へ移動させ、その第２板部材が調整部材に当接することでポンチが移動する距離が規制されていることを特徴とする。
【発明の効果】
【０００６】
本発明では、ベースには、ワーク本体を保持し、前記結合部材の軸線を中心に旋回するように構成した旋回部と、その旋回部を跨ぐように門型に形成された支持部が夫々設置され、その支持部に設けたガイド部材には前記結合部材の軸線に対して平行な軸線に沿って上下方向に移動するようにポンチを取り付けた軸部材が挿入され、その軸部材の上端側に取り付けた第２板部材とガイド部材との間にバネ部材と調整部材とを介在させ、前記旋回部によって結合部材の軸線を中心にワーク本体と共に結合部材を旋回させ、所定角度旋回させた結合部材の端面部を前記ポンチによってかしめる時に、ハンマーによりバネ部材に当接させた状態の第２板部材をバネ部材のバネ力に抗して下方へ移動させ、その第２板部材が調整部材に当接することでポンチが移動する距離が規制されていることで、結合部材の端面部付近の複数箇所を一定のかしめ量で確実にかしめることが可能となる。
【図面の簡単な説明】
【０００７】
【図１】本実施形態のかしめ装置を示す図である。
【図２】図１の平面図である。
【図３】図１のＩＩＩ視であって、旋回部を示す図である。
【図４】図３のＩＶ視図である。
【図５】ポンチを近傍位置に移動させた状態を示す図である。
【発明を実施するための形態】
【０００８】
図１に示すかしめ装置１は、ワーク本体Ｗの取付孔Ｗａに嵌め込んだ結合部材２の端面部付近を複数箇所（３箇所）かしめて、ワーク本体Ｗと結合部材２とを一体化させるもので、ベース３にワーク本体Ｗを保持する旋回部４と、その旋回部４を跨ぐように門型に形成された支持部５が夫々設置されている。前記旋回部４は、ベース３の中心に設けた段付き孔６に旋回可能に嵌め込まれる本体７に、ワーク本体Ｗを載置する保持体８がボルト９によって固着されたものである。保持体８には、ワーク本体Ｗの貫通孔Ｗｂに挿入させる位置決めピン１０が設けられている。また、保持体８の取付位置は、位置決めピン１０によって位置決めされたワーク本体Ｗの取付孔Ｗａの軸線ＣＬ１が本体７の軸線ＣＬ２と略同一となるように調整されている。よって、本体７はワーク本体Ｗの取付孔Ｗａに嵌め込んだ結合部材２の軸線を中心に旋回することになる。本体７には、位置決めピン１０によって位置決めされたワーク本体Ｗを保持体８に押し付けるようにクランプ部材１１が設置されている。本実施形態のクランプ部材１１は、図４に示すように、ハンドル部１１ａの旋回によって、クランプ本体１１ｂと共に、クランプ本体１１ｂに取り付けた押付部材１１ｃを上下方向へ移動させるものである。本体７の外周面には等間隔に複数（３個）のＶ字溝１２が形成されている。ベース３には、前記各溝１２に係合可能な位置決め部材として例示するボールプランジャ１３が設置されている。よって、図３に示すように、前記各溝１２とボールプランジャ１３との係合により、本体７を所定角度（本実施形態では１２０度）ずつ旋回移動させることができる。
【０００９】
前記支持部５は、ベース３の端部に立設される複数（３本）の柱１４に前記旋回部４を覆うような第１板部材１５が連結されたものである。第１板部材１５には、前記取付孔Ｗａの軸線ＣＬ１（本体７の軸線ＣＬ２）に対して平行な軸線ＣＬ３の貫通孔１６が設けられている。その貫通孔１６を塞ぐようにガイド孔１７ａを設けたガイド部材１７が第１板部材１５に取付けられている。ガイド孔１７ａには下端にポンチ１８を取り付けた軸部材１９が挿入され、軸部材１９を介してポンチ１８が上下方向へ移動するようになっている。軸部材１９の上端側には第２板部材２０が取り付けられる。第２板部材２０とガイド部材１７上面との間には、バネ部材２１と調整部材２２とが介在されている。バネ部材２１のバネ長さＬ１は、バネ部材２１に軸部材１９の第２板部材２０を当接させたときに、ポンチ１８が結合部材２の端面部の近傍位置Ａで停止する長さにしてある。また、調整部材２２の長さＬ２は、ポンチ１８が近傍位置Ａから結合部材２の端面部付近をかしめるまで移動する長さにしてある。第１板部材１５には、前記第２板部材２０を係合させる係合部２３ａを備えた落下防止部材２３が立設されている。その落下防止部材２３の長さＬ３は、軸部材１９を上方へ移動させ、軸部材１９の第２板部材２０を係合部２３ａに係合させたとき、ポンチ１８が第１板部材１５の下面位置Ｂで停止する長さにしてある（図１の状態）。
【００１０】
上記のように構成したかしめ装置１を用いて、ワーク本体Ｗの取付孔Ｗａに嵌め込んだ結合部材２の端面部付近を複数箇所かしめてワーク本体Ｗと結合部材２とを一体化させる動作を説明する。図１に示すように、予め軸部材１９を上方へ移動させた後、軸部材１９を回転させ、軸部材１９の第２板部材２０を落下防止部材２３に係合させてポンチ１８を第１板部材１５の下面位置Ｂで停止させる。その状態で、位置決めピン１０によって位置決めされたワーク本体Ｗをクランプ部材１１によって保持体８に押し付ける。その後、図５に示すように、軸部材１９を前記と逆方向に回転させて、軸部材１９の第２板部材２０と落下防止部材２３との係合を解除し、第２板部材２０をバネ部材２１に当接するまで下方へ降下させ、ポンチ１８を結合部材２の端面部の近傍位置Ａで停止させる。そして、図示しないハンマーにより軸部材１９に衝撃力を与えると、その力により軸部材１９がバネ部材２１のバネ力に抗して下方へ移動して、軸部材１９に取り付けたポンチ１８によって結合部材２の端面部の一部がかしめられる。また、軸部材１９の第２板部材２０が調整部材２２に当接することで、軸部材１９（ポンチ１８）の下方への移動する距離Ｌ４（Ｌ１−Ｌ２）が規制され、ポンチ１８による結合部材２の端面部へのかしめ量が均一となる。
【００１１】
結合部材２の端面部をかしめたポンチ１８はバネ部材２１によって上方へ押し上げられ、再びポンチ１８を結合部材２の端面部の近傍位置Ａで停止させる。図５の状態で、図３（ａ）から（ｂ）となるように、本体８を旋回させ、次の溝１２とボールプランジャ１３との係合によって、本体８を所定角度で旋回させる。再び前記動作を繰り返し、結合部材２の端面部の複数箇所をかしめてワーク本体Ｗと結合部材２とを一体化させる。その後、軸部材１９を上方へ移動させ、軸部材１９を落下防止部材２３に係合させてポンチ１８を第１板部材１５の下面位置Ｂで停止させる。図１の状態で、クランプ部材１１を緩めてワーク本体Ｗを保持体８から取り外し、次に一体化させるワーク本体Ｗと結合部材２とを保持体８に装着する。
従って、本発明のように、ワーク本体Ｗの取付孔Ｗａの軸線ＣＬ１に対して平行な軸線ＣＬ３に沿って上下方向に移動するポンチ１８を設け、そのポンチ１８の移動する距離Ｌ４を調整部材２２によって調整可能とし、ポンチ１８によってかしめる結合部材２を所定角度旋回するようにしたことで、結合部材２の端面部付近の複数箇所を一定のかしめ量で確実にかしめることができる。また、ポンチ１８を取り付けた軸部材１９を支持部５の落下防止部材２３に係合させて、ポンチ１８を第１板部材１５の下面位置Ｂで停止させるようにしたことで、保持体８に繰り返しワーク本体Ｗを装着することが容易にできる。
【符号の説明】
【００１２】
１      かしめ装置
２      結合部材
３      ベース
４      旋回部
５      支持部
７      本体
８      保持体
１２    Ｖ字溝
１３    ボールプランジャ
１８    ポンチ
２２    調整部材
２３    落下防止部材
Ｗ      ワーク本体
Ｗａ    取付孔
Ｌ４    距離
ＣＬ３    軸線
【図１】
0005720987.tif 000002
【図２】
0005720987.tif 000003
【図３】
0005720987.tif 000004
【図４】
0005720987.tif 000005
【図５】
0005720987.tif 000006